(57)【要約】      （修正有）【課題】コストの上昇や重量の増加を抑制できるパネル収納容器を提供する。【解決手段】収納容器のパネル支持部３０において、複数のパネルを収納する容器本体と、パネルの左右端部を支持するパネル支持体３１と、を備えるパネル収納容器１であって、パネル支持体３１には、支持軸３２が挿通される取付孔３１ａが基端側に形成される。支持軸３２は、固定部材３３により容器本体に設けられた固定壁３４（支柱）に固定されているものである。また、固定壁３４は、パネル支持体３１を嵌合する嵌合溝３４ａを上下方向に複数有し、また、支持軸３２を係合する係合溝３４ｂを上下方向に沿って有する。【選択図】図６
2019033145.tif 000002
【特許請求の範囲】
【請求項１】
複数のパネルを収納する容器本体と、
前記パネルの左右端部を支持するパネル支持体と、を備えるパネル収納容器であって、
前記パネル支持体は、支持軸が挿通される取付孔が基端側に形成され、
前記支持軸は、固定手段により前記容器本体に設けられた固定壁に固定されている
ことを特徴とするパネル収納容器。
【請求項２】
前記固定壁は、前記パネル支持体を嵌合する嵌合溝を上下方向に複数有する
ことを特徴とする請求項１に記載のパネル収納容器。
【請求項３】
前記固定壁は、前記支持軸を係合する係合溝を上下方向に沿って有する
ことを特徴とする請求項１又は２に記載のパネル収納容器。
【請求項４】
前記パネル支持体は、前記パネルを支持可能な面が異なる段差形状で複数面に形成されている
ことを特徴とする請求項１から３までのいずれか１項に記載のパネル収納容器。
【請求項５】
前記複数面は、いずれの面で前記パネルを支持しても、前記容器本体の底面から高さが変わらないように形成されている
ことを特徴とする請求項４に記載のパネル収納容器。
【請求項６】
前記パネル支持体は、少なくとも２本の前記支持軸を介して前記固定壁に固定されている
ことを特徴とする請求項１から５までのいずれか１項に記載のパネル収納容器。
【請求項７】
前記取付孔は、前記パネル支持体の先端側と基端側とを結ぶ方向をＸ方向とするとき、Ｘ方向の長さが前記支持軸のＸ方向の長さよりも長い
ことを特徴とする請求項１から６までのいずれか１項に記載のパネル収納容器。
【請求項８】
前記取付孔は、前記パネル支持体の先端側から基端側に向うに従って、前記支持軸の外形よりも幅が狭くなる部分が形成されている
ことを特徴とする請求項１から７までのいずれか１項に記載のパネル収納容器。
【請求項９】
前記取付孔は、前記パネル支持体の先端側に、前記支持軸の外形よりも大きい部分が形成されている
ことを特徴とする請求項１から８までのいずれか１項に記載のパネル収納容器。
【請求項１０】
前記パネル支持体は、金属材料よりも摩擦性の高い又はクッション性の高い材料で形成されているか、又は、金属材料よりも摩擦性の高い又はクッション性の高い材料で形成されたパネル接触部を有する
ことを特徴とする請求項１から９までのいずれか１項に記載のパネル収納容器。
【請求項１１】
前記パネル支持体、前記支持軸、前記固定壁、前記固定手段のうち少なくとも１つは、導電性材料で形成されている
ことを特徴とする請求項１から１０までのいずれか１項に記載のパネル収納容器。
【請求項１２】
前記パネル支持体と連結されるサイドサポート部材を備える
ことを特徴とする請求項１から１１までのいずれか１項に記載のパネル収納容器。
【請求項１３】
前記サイドサポート部材は、前後方向に沿って延在し、その一端部が前記容器本体に取り付けられる
ことを特徴とする請求項１２に記載のパネル収納容器。
【請求項１４】
前記容器本体は、搬送機械に保持される第１被搬送用部品を天面の外側に有する
ことを特徴とする請求項１から１３までのいずれか１項に記載のパネル収納容器。
【請求項１５】
前記容器本体は、搬送機械に保持される第２被搬送用部品を左右側面の外側に有する
ことを特徴とする請求項１から１４までのいずれか１項に記載のパネル収納容器。
【請求項１６】
前記容器本体は、搬送機械又は加工装置の位置決め手段に支持される装置位置決め部を、底面の外側に少なくとも３か所有する
ことを特徴とする請求項１から１５までのいずれか１項に記載のパネル収納容器。
【請求項１７】
前記容器本体は、正面に開口を有するフロントオープンボックスタイプの容器であるとともに、前記開口がシールガスケットを有する蓋体により閉止されることで、気密状態が維持され、
前記蓋体は、ロック手段により前記容器本体に対して施錠又は解錠可能である
ことを特徴とする請求項１から１６までのいずれか１項に記載のパネル収納容器。
【請求項１８】
前記容器本体は、内部に気体を給気する給気部又は内部から気体を排気する排気部を有する
ことを特徴とする請求項１７に記載のパネル収納容器。
【請求項１９】
前記容器本体は、直方体形状に組み立てられた枠体である
ことを特徴とする請求項１から１８までのいずれか１項に記載のパネル収納容器。
【請求項２０】
前記パネルは、矩形形状である
ことを特徴とする請求項１から１９までのいずれか１項に記載のパネル収納容器。
【発明の詳細な説明】
【技術分野】
【０００１】
本発明は、パネルを収納するパネル収納容器に関する。
【背景技術】
【０００２】
液晶パネル用ガラス基板などのパネルを扱う製造工程では、パネルを製造装置から別工程の製造装置に移送する際や、パネルを一時的に保管する際に、複数のパネルを収納するパネル収納容器が用いられている（例えば、特許文献１参照）。
【０００３】
近年、液晶パネルは大型化しており、それに伴って、液晶パネル用キャリアパネルも大型化している。キャリアパネルが大型化してくると、キャリアパネルの重量も、例えば、１枚当たり５ｋｇ〜８ｋｇと重くなるため、キャリアパネルの左右端部を支持するパネル支持部の強度が必要になってきている。
【０００４】
ところで、液晶パネルに限らず、ＩＣチップなどの電子部品も量産化のため、一枚のパネル上に複数形成する必要があり、パネルが大型化している。このパネル形態の電子部品は、例えば、大型のキャリアパネル（ガラス板、ステンレス板など）上に多数の電子部品を接着・載置する工程、これらの電子部品をエポキシ樹脂などで封止する工程、封止された電子部品をパネル形態でキャリアパネルから剥がす工程、パネル形態の電子部品を個別に切り出す工程などを経て製造されている。
【先行技術文献】
【特許文献】
【０００５】
【特許文献１】国際公開第２０１０／１３４４９２号
【発明の概要】
【発明が解決しようとする課題】
【０００６】
しかしながら、パネル支持部を金属製の一体部品とすると、コストの上昇や重量の増加につながるが、プラスチック樹脂製で一体成形された部品では、強度が不足したり、また、起型のコストが上昇したりすることがある。
【０００７】
そこで、本発明は、このような事情に鑑みてなされたものであり、コストの上昇や重量の増加を抑制できるパネル収納容器を提供することを目的とする。
【課題を解決するための手段】
【０００８】
（１）本発明に係る１つの態様は、複数のパネルを収納する容器本体と、前記パネルの左右端部を支持するパネル支持体と、を備えるパネル収納容器であって、前記パネル支持体は、支持軸が挿通される取付孔が基端側に形成され、前記支持軸は、固定手段により前記容器本体に設けられた固定壁に固定されているものである。
（２）上記（１）の態様において、前記固定壁は、前記パネル支持体を嵌合する嵌合溝を上下方向に複数有してもよい。
（３）上記（１）又は（２）の態様において、前記固定壁は、前記支持軸を係合する係合溝を上下方向に沿って有してもよい。
（４）上記（１）から（３）までのいずれか１つの態様において、前記パネル支持体は、前記パネルを支持可能な面が異なる段差形状で複数面に形成されてもよい。
（５）上記（１）から（４）までのいずれか１つの態様において、前記複数面は、いずれの面で前記パネルを支持しても、前記容器本体の底面から高さが変わらないように形成されてもよい。
（６）上記（１）から（５）までのいずれか１つの態様において、前記パネル支持体は、少なくとも２本の前記支持軸を介して前記固定壁に固定されてもよい。
（７）上記（１）から（６）までのいずれか１つの態様において、前記取付孔は、前記パネル支持体の先端側と基端側とを結ぶ方向をＸ方向とするとき、Ｘ方向の長さが前記支持軸のＸ方向の長さよりも長くてもよい。
（８）上記（１）から（７）までのいずれか１つの態様において、前記取付孔は、前記パネル支持体の先端側から基端側に向うに従って、前記支持軸の外形よりも幅が狭くなる部分が形成されてもよい。
（９）上記（１）から（８）までのいずれか１つの態様において、前記取付孔は、前記パネル支持体の先端側に、前記支持軸の外形よりも大きい部分が形成されてもよい。
（１０）上記（１）から（９）までのいずれか１つの態様において、
前記パネル支持体は、金属材料よりも摩擦性の高い又はクッション性の高い材料で形成されているか、又は、金属材料よりも摩擦性の高い又はクッション性の高い材料で形成されたパネル接触部を有してもよい。
（１１）上記（１）から（１０）までのいずれか１つの態様において、前記パネル支持体、前記支持軸、前記固定壁、前記固定手段のうち少なくとも１つは、導電性材料で形成されてもよい。
（１２）上記（１）から（１１）までのいずれか１つの態様において、前記パネル支持体と連結されるサイドサポート部材を備えてよい。
（１３）上記（１２）の態様において、前記サイドサポート部材は、前後方向に沿って延在し、その一端部が前記容器本体に取り付けられてもよい。
（１４）上記（１）から（１３）までのいずれか１つの態様において、前記容器本体は、搬送機械に保持される第１被搬送用部品を天面の外側に有してもよい。
（１５）上記（１）から（１４）までのいずれか１つの態様において、前記容器本体は、搬送機械に保持される第２被搬送用部品を左右側面の外側に有してもよい。
（１６）上記（１）から（１５）までのいずれか１つの態様において、前記容器本体は、搬送機械又は加工装置の位置決め手段に支持される装置位置決め部を、底面の外側に少なくとも３か所有してもよい。
（１７）上記（１）から（１６）までのいずれか１つの態様において、前記容器本体は、正面に開口を有するフロントオープンボックスタイプの容器であるとともに、前記開口がシールガスケットを有する蓋体により閉止されることで、気密状態が維持され、前記蓋体は、ロック手段により前記容器本体に対して施錠又は解錠可能でもよい。
（１８）上記（１）から（１７）までのいずれか１つの態様において、
前記容器本体は、内部に気体を給気する給気部又は内部から気体を排気する排気部を有してもよい。
（１９）上記（１）から（１８）までのいずれか１つの態様において、前記容器本体は、直方体形状に組み立てられた枠体でもよい。
（２０）上記（１）から（１９）までのいずれか１つの態様において、前記パネルは、矩形形状でもよい。
【発明の効果】
【０００９】
本発明によれば、その目的は、コストの上昇や重量の増加を抑制できるパネル収納容器を提供することができる。
【図面の簡単な説明】
【００１０】
【図１】本発明に係る第１実施形態のパネル収納容器の分解斜視図である。
【図２】容器本体の正面図である。
【図３】容器本体の下面図である。
【図４】パネル支持部を示す要部平面図である。
【図５】パネル支持部を示す要部側面図である。
【図６】パネル支持部を示す要部正面図である。
【図７】パネル支持体に形成された取付孔を示す要部平面図であり、（ａ）長孔形状の取付孔、（ｂ）ダルマ形状の取付孔、（ｃ）ホームベース形状の取付孔である。
【図８】取付方向を変更したパネル支持体を示す概略正面図であり、（ａ）パネル位置決め寸法Ａ１の状態、（ｂ）パネル位置決め寸法Ｂ１の状態である。
【図９】変形例１のパネル支持部を示す要部平面図である。
【図１０】変形例１のパネル支持体を示す、（ａ）平面図、（ｂ）側面図、（ｃ）正面図である。
【図１１】変形例２のパネル支持部を示す概略正面図であり、（ａ）パネル位置決め寸法Ｅの状態、（ｂ）パネル位置決め寸法Ｆの状態、（ｃ）パネル位置決め寸法Ｇの状態、（ｄ）パネル位置決め寸法Ｈの状態である。
【図１２】変形例３のパネル支持部を示す図であり、（ａ）パネル位置決め寸法Ａ１の状態の概略正面図、（ｂ）パネル位置決め寸法Ｂ１の状態の概略正面図、（ｃ）円柱クッション部材を適用したパネル支持体のＩ−Ｉ断面図、（ｄ）円柱クッション部材を適用したパネル支持体のＩ−Ｉ断面図、（ｅ）三角柱クッション部材を適用したパネル支持体のＩ−Ｉ断面図である。
【図１３】サイドサポート部を示す要部平面図である。
【図１４】サイドサポート部を示す要部側面図である。
【図１５】取付方向を変更したサイドサポート部を示す概略側面図であり、（ａ）パネル位置決め寸法Ａ２の状態、（ｂ）パネル位置決め寸法Ｂ２の状態である。
【発明を実施するための形態】
【００１１】
以下、添付図面を参照して、本発明の実施形態に係るパネル収納容器１について詳細に説明する。
【００１２】
（第１実施形態）
［パネル収納容器の全体構成］
図１は、本発明に係る第１実施形態のパネル収納容器の分解斜視図である。図２は、容器本体の正面図である。図３は、容器本体の下面図である。なお、図１において、Ｘ軸に沿って延在するＸ方向を左右方向とし、Ｙ軸に沿って延在するＹ方向を前後方向とし、Ｚ軸に沿って延在するＺ方向を上下方向とする。
【００１３】
図１から図３に示すように、本実施形態のパネル収納容器１は、複数枚（例えば、６枚、１２枚・・・２５枚）の矩形形状のパネルＰを収納する容器本体２０と、容器本体２０の正面に形成される開口部２１を開閉自在に覆う蓋体４０と、を備える。
【００１４】
パネル収納容器１は、電子部品を製造する製造装置（製造工程）に使用されるものであり、例えば、ガラス板、ステンレス板など大型のキャリアパネルＰｃ（図８参照）上に多数の電子部品を形成する工程と、これらの電子部品をエポキシ樹脂などで封止する工程、封止された電子部品（パネル形態）をキャリアパネルＰｃから剥がす工程、封止パネルＰｅから電子部品を切り出す工程などの各工程間でパネルＰを移送する際に使用される。つまり、パネル収納容器１に収納されるパネルＰのサイズには、例えば、キャリアパネルＰｃのサイズである６２５ｍｍ×６１５ｍｍと、封止パネルＰｅのサイズである６００ｍｍ×６００ｍｍとの２種類が存在する。そのため、パネル収納容器１は、各サイズに対応した２種類以上のものが準備されるとよい。
【００１５】
容器本体２０は、正面に開口部２１を有するフロントオープンボックスタイプの容器であり、パネルＰの左右端部を支持するパネル支持部３０を有している。具体的には、左右の側壁２２ａ，２２ｂの内面に、後述するパネル支持部３０が対設されている。なお、本実施形態の容器本体２０は、直方体形状に組み立てられた枠体に、その上面、下面、左側面、右側面及び背面を気密的に覆う壁部材を組付けて構成されるが、容器本体２０の構造は、これに限定されない。
【００１６】
パネル収納容器１の内部の清浄性や低湿度を保つようにガス置換を行うために、容器本体２０の底板２３には、容器本体２０内に不活性ガスを給気し、又は、容器本体２０内のエアを排気する給排気部５０が複数設けられてもよい。本実施形態では、給排気部５０は、例えば、開口部２１側の２か所が排気部となり、背面（奥側）の２か所が給気部となるが、給気部及び排気部の数量や位置は、図示したものに限らない。あるいは、給排気部５０は、蓋体４０の側に設けられてもよい。
【００１７】
また、底板２３の外面には、搬送機械（ロボット）又は加工装置の位置決め手段に支持される装置位置決め部２４が少なくとも３か所に設けられる。
【００１８】
容器本体２０の天板２５の上面の中央部には、製造工場の天井搬送機構に保持される搬送用のロボティックフランジ２６（第１被搬送用部品）が設けられ、左右の側壁２２ａ，２２ｂの外面には、搬送機械に保持される搬送用のリフトフランジ２７（第２被搬送用部品）が前後方向に沿って突出して形成されている。さらに、容器本体２０の天板２５の上面の左右端部には、作業員がパネル収納容器１を搬送できるようにハンドル２９（第３被搬送用部品）が４か所に設けられている。
【００１９】
一方、蓋体４０は、シールガスケット（図示せず）を介して容器本体２０の開口部２１を気密状態で閉止するもので、蓋本体４１と、容器本体２０の開口部２１を閉止する蓋体４０を施錠又は解錠する施錠機構４２（ロック手段）と、を有している。施錠機構４２は、鍵穴４３に挿入される鍵（図示せず）の操作に応じて施錠位置と解錠位置とに変位するラッチ（図示せず）を含み、ラッチが容器本体２０側の係合部（図示せず）に係合されたり、係合解除されたりすることで、蓋体４０の施錠及び解錠が行われる。
【００２０】
容器本体２０や蓋体４０は、金属材料や樹脂材料で成形される複数の部品の組み合わせで構成される。樹脂部品の成形材料に含まれる樹脂としては、例えば、ポリカーボネート、シクロオレフィンポリマー、ポリエーテルイミド、ポリエーテルケトン、ポリエーテルエーテルケトン、ポリブチレンテレフタレート、ポリアセタール、液晶ポリマー、ポリメタクリル酸メチルなどのアクリル樹脂、アクリロニトリルブタジエンスチレン共重合体といった熱可塑性樹脂やこれらのアロイなどがあげられる。
【００２１】
これらの樹脂には、カーボン繊維、カーボンパウダー、カーボンナノチューブ、導電性ポリマーなどからなる導電物質やアニオン、カチオン、非イオン系などの各種帯電防止剤が必要に応じて添加される。また、ベンゾトリアゾール系、サリシレート系、シアノアクリレート系、オキザリックアシッドアニリド系、ヒンダードアミン系の紫外線吸収剤が添加されたり、剛性を向上させるガラス繊維や炭素繊維なども選択的に添加されたりする。
【００２２】
そして、容器本体２０は、軽量化を優先すれば、左右の側壁２２ａ，２２ｂ、底板２３及び天板２５の材料がアルミニウムであることが望ましく、なお、強度を優先すれば、左右の側壁２２ａ，２２ｂ、底板２３及び天板２５の材料がステレンスであることが望ましい。
【００２３】
図３に示される容器本体２０の背面壁２８は、全体が容器本体２０の内部を目視することができるような透明な樹脂材料で形成されるが、これに限らず、背面壁２８の一部（例えば、中央部）が透明な樹脂材料で形成されてもよい。なお、この透明な樹脂材料は、アクリル樹脂、ポリカーボネート又はシクロオレフィンポリマーであることが望ましい。
【００２４】
［パネル支持部］
つぎに、パネル支持部３０について、図４から図８を参照しつつ説明する。図４は、パネル支持部３０を示す要部平面図である。図５は、パネル支持部３０を示す要部側面図である。図６は、パネル支持部３０を示す要部正面図である。図７は、パネル支持体３１に形成された、（ａ）長孔形状の取付孔３１ａ、（ｂ）ダルマ形状の取付孔３１ａ、（ｃ）ホームベース形状の取付孔３１ａ、をそれぞれ示す要部平面図である。図８は、取付方向を変更したパネル支持体３１を示す概略正面図であり、（ａ）パネル位置決め寸法Ａ１の状態、（ｂ）パネル位置決め寸法Ｂ１の状態である。
【００２５】
図４から図８に示すように、パネル支持部３０は、パネルＰの左右端部を支持するパネル支持体３１と、パネル支持体３１の基端側に形成される取付孔３１ａに挿通される支持軸３２と、容器本体２０の側壁２２ａ，２２ｂの内面側に立設され、複数の固定部材３３を介して支持軸３２が固定される固定壁３４（以後、単に「支柱３４」という。）と、を備える。
【００２６】
なお、本実施形態のパネル支持部３０では、６枚のパネル支持体３１と、４本の支持軸３２と、１２個の固定部材３３と、４本の支柱３４と、をそれぞれ左右に備えているが、これらの数量は、収納するパネルＰの枚数や重量に応じて適宜変更することができる。例えば、２本の支持軸３２でパネル支持体３１を取り付け固定してもよく、２個の固定部材３３で１本の支持軸３２を１本の支柱３４に取り付け固定してもよい。
【００２７】
［パネル支持体］
パネル支持体３１は、平面視で前後方向に長い矩形形状を有し、パネルＰの左右端部をそれぞれ１枚のパネル支持体３１で支持する。パネル支持体３１を形成する材料は、帯電防止のために導電性を有する樹脂材料又は金属材料であることが望ましい。また、パネル支持体３１は、支持するパネルＰの滑りを防止するために金属材料よりも摩擦性が高く、かつ、支持するパネルＰの損傷を防止するために金属材料よりもクッション性が高い導電性の樹脂材料で形成されるが、パネルＰとの接触部のみ樹脂材料で形成してもよい。
【００２８】
また、パネル支持体３１の基端側には、上下方向に貫通する取付孔３１ａが前後方向に所定の間隔をあけて複数形成され、さらに、パネル支持体３１のパネルＰを支持する面には、パネルＰを位置決めするための位置決め用の段差部３１ｂ，３１ｃが形成される（図６参照）。なお、取付孔３１ａ及び段差部３１ｂ，３１ｃの形状については、後述する。
【００２９】
［支柱］
支柱３４は、容器本体２０の側壁２２ａ，２２ｂの内面側に前後方向に所定の間隔をあけて複数立設される（図４参照）。支柱３４を形成する材料は、帯電防止のために導電性を有する樹脂材料又は金属材料であることが望ましい。さらに、本実施形態の支柱３４は、軽量化を重視するために、アルミニウムで形成されることがより望ましい。なお、本実施形態の支柱３４は、側壁２２ａ，２２ｂと別部材で形成されるが、支柱３４を側壁２２ａ，２２ｂと一体に形成して、固定壁として形成してもよい。
【００３０】
支柱３４には、パネル支持体３１の基端部を嵌合支持する嵌合溝３４ａが前後方向に沿って形成される。嵌合溝３４ａは、支柱３４の内側面において、上下方向に所定の間隔をあけて複数形成されており、前後方向に並ぶ複数の支柱３４の同じ高さの嵌合溝３４ａにパネル支持体３１の基端部を嵌合させることで、パネル支持体３１が支柱３４に仮固定される。なお、支柱３４の嵌合溝３４ａに嵌合するパネル支持体３１の基端部には、嵌合溝３４ａに嵌合する際に押し潰されることで、嵌合ガタを除去するガタ取り用の突起（図１０の突起３１ｚ参照）を設けることが好ましい。
【００３１】
さらに、支柱３４の内側面には、支持軸３２と係合する係合溝３４ｂが上下方向に沿って形成されている（図５参照）。このような係合溝３４ｂによれば、支柱３４に支持軸３２を固定する際、支柱３４に対する支持軸３２の前後方向の取付位置を位置決めできるだけでなく、固定後における支持軸３２の前後方向のずれを規制することができる。
【００３２】
［支持軸］
支持軸３２は、支柱３４の嵌合溝３４ａで仮固定されたパネル支持体３１の取付孔３１ａに挿通された状態で、複数の固定部材３３を介して支柱３４に固定されることにより、パネル支持体３１を強固に固定する。本実施形態の支持軸３２は、円柱状、楕円柱状であるが、角柱状であってもよい。
【００３３】
支持軸３２を形成する材料は、帯電防止のために導電性を有する樹脂材料又は金属材料であることが望ましい。さらに、本実施形態の支持軸３２は、ステレンスやアルミニウムで形成されることがより望ましい。なお、本実施形態の固定部材３３は、支柱３４との間で支持軸３２を挟持する状態で、左右一対のネジ３３ａを介して支柱３４に固定されることにより、支持軸３２を支柱３４に固定するが、固定部材３３の固定構造は、これに限定されない。
【００３４】
［取付孔の形状］
図７（ａ）から（ｃ）に示すように、パネル支持体３１に形成される取付孔３１ａは、パネル支持体３１の先端側と基端側とを結ぶ方向をＸ方向とするとき、Ｘ方向の長さＬ１が支持軸３２のＹ方向の長さＬ２よりも長い形状を有する。例えば、図７（ａ）に示す取付孔３１ａは、Ｘ方向に長い長孔形状であり、支持軸３２を挿通する際、支持軸３２のＸ方向の位置ずれを許容することにより、組立性を向上させる。また、取付孔３１ａに支持軸３２を挿通した後、支持軸３２を取付孔３１ａのパネル支持体３１の基端側の端部に押し当てることにより、支持軸３２が取付孔３１ａの端部に３点で接触し、パネル支持体３１のＸ方向及びＹ方向の位置が決まる。
【００３５】
図７（ｂ）に示す取付孔３１ａは、パネル支持体３１の先端側に、支持軸３２の外形よりも大きい部分が形成されている。具体的に説明すると、図７（ｂ）に示す取付孔３１ａは、パネル支持体３１の先端側のＹ方向の長さＬ３が、図７（ａ）に示す長孔形状の取付孔３１ａのＹ方向の長さＬ４よりも長いダルマ形状を有する。このような取付孔３１ａによれば、支持軸３２を挿通する際、支持軸３２のＸ方向及びＹ方向の位置ずれを許容することにより、組立性を向上させる。また、取付孔３１ａに支持軸３２を挿通した後、支持軸３２を取付孔３１ａのパネル支持体３１の基端側の端部に押し当てることにより、支持軸３２が取付孔３１ａの端部に３点で接触し、パネル支持体３１のＸ方向及びＹ方向の位置が決まる。
【００３６】
図７（ｃ）に示す取付孔３１ａは、パネル支持体３１の先端側から基端側に向うに従って、支持軸３２の外形よりもＹ方向の幅が狭くなる部分を有する。具体的に説明すると、図７（ｃ）に示す取付孔３１ａは、パネル支持体３１の基端側が頂点となるように配置された三角形状又はホームベース形状であり、支持軸３２を挿通する際、支持軸３２のＸ方向及びＹ方向の位置ずれを許容することにより、組立性を向上させる。また、取付孔３１ａに支持軸３２を挿通した後、支持軸３２を取付孔３１ａのパネル支持体３１の基端側の端部に押し当てることにより、支持軸３２が取付孔３１ａの端部に２点で接触し、パネル支持体３１のＸ方向及びＹ方向の位置が決まる。なお、取付孔３１ａの頂部の角度は、６０°〜１２０°が好ましい。
【００３７】
［段差形状］
図８に示すように、パネル支持体３１は、取付方向の選択に基づいて異なる面でパネルＰを支持可能であり、パネルＰを支持可能な複数の面が異なる段差形状を有する。具体的に説明すると、本実施形態のパネル支持体３１は、パネルＰを支持可能な面として、第１の面Ｓ１と、その裏側の面である第２の面Ｓ２と、を有し、第１の面Ｓ１に第１の段差部３１ｂが形成され、第２の面Ｓ２に第２の段差部３１ｃが形成されている。第１の段差部３１ｂは、第２の段差部３１ｃよりもパネル支持体３１の基端側に形成されており、図８の（ａ）に示すように、第１の面Ｓ１がパネルＰの支持面となるようにパネル支持体３１を取り付けた場合は、左右のパネル支持体３１で左右端部が支持されるパネルＰの位置決め寸法がＡ１となり、図８の（ｂ）に示すように、第２の面Ｓ２がパネルＰの支持面となるようにパネル支持体３１を取り付けた場合は、左右のパネル支持体３１で左右端部が支持されるパネルＰの位置決め寸法がＡ１よりも短いＢ１となる。
【００３８】
本実施形態のパネル位置決め寸法Ａ１は、キャリアパネルＰｃを位置決めするためのものであり、キャリアパネルＰｃの左右幅（例えば、６１５ｍｍ）に所定のクリアランス（例えば、片側２ｍｍから３ｍｍ）を加えて設定される。また、本実施形態のパネル位置決め寸法Ｂ１は、封止パネルＰｅを位置決めするためのものであり、封止パネルＰｅの左右幅（例えば、６００ｍｍ）に所定のクリアランス（例えば、片側２ｍｍから３ｍｍ）を加えて設定される。このようなパネル支持体３１によれば、取付方向の選択に基づいて２種類のパネル位置決め寸法Ａ１，Ｂ１を実現できるので、パネルＰに応じて２種類のパネル支持体３１を製造する場合に比べ製造コストを抑制できる。
【００３９】
このとき、本実施形態のパネル支持体３１は、取付方向を変更しても、パネルＰを支持する高さが変わらないように形成されている。具体的に説明すると、図８に示すように、第１の面Ｓ１における段差部３１ｂの上段面（基端側上端面）から下段面（パネル支持面）までの上下方向の寸法Ｃ１と、第２の面Ｓ２における段差部３１ｃの上段面（基端側上端面）から下段面（パネル支持面）までの上下方向の寸法Ｄ１と、が一致するように形成されている。このようなパネル支持体３１によれば、ロボットによるパネルＰの挿入高さを変更することなく、サイズの異なるパネルＰの収納又は取り出しを行うことができる。
【００４０】
このように、本実施形態のパネル収納容器１では、パネル支持部３０は、パネルＰの左右端部を支持するパネル支持体３１と、パネル支持体３１の基端側に形成される取付孔３１ａに挿通される支持軸３２と、容器本体２０の側壁２２の内面側に立設され、複数の固定部材３３を介して支持軸３２が固定される支柱３４と、を備えて構成されるので、パネル支持体３１、支持軸３２及び支柱３４の材質選定により、大型パネルの収納に対応しつつ、コストの上昇や重量の増加を抑制できる。
【００４１】
また、パネル支持体３１は、取付方向の選択に基づいて異なる面でパネルＰを支持可能であり、パネルＰを支持可能な第１の面Ｓ１及び第２の面Ｓ２などの複数の面が異なる段差形状を有するので、１つのパネル支持体３１で複数種類のパネル位置決め寸法Ａ１，Ｂ１を実現することができる。
【００４２】
［変形例］
つぎに、本発明に係る変形例について、図９から図１２を参照しつつ説明する。ただし、本実施形態と相違する構成のみを説明し、本実施形態と共通の構成については、本実施形態と同じ符号を用いることにより、本実施形態の説明を援用する。
【００４３】
図９は、変形例１のパネル支持部３０Ｂを示す要部平面図である。図１０は、変形例１のパネル支持体３１Ｂを示す、（ａ）平面図、（ｂ）側面図、（ｃ）正面図である。
【００４４】
図９及び図１０に示すように、変形例１のパネル支持部３０Ｂは、パネル支持体３１Ｂが、本実施形態のパネル支持体３１のように前後方向に長い板形状ではなく、前後方向の寸法に比べて左右方向の寸法が長い短冊形状である。変形例１のパネル支持体３１Ｂは、前後方向に所定の間隔をあけて複数並設され、パネルＰの左右端部をそれぞれ複数のパネル支持体３１Ｂで支持する。
【００４５】
このようなパネル支持体３１Ｂによれば、実施形態のパネル支持体３１に比べて軽量化を図ることができる。なお、図１０に示すように、支柱３４の嵌合溝３４ａに嵌合するパネル支持体３１Ｂの基端部には、嵌合溝３４ａに嵌合する際に押し潰されることで、嵌合ガタを除去するガタ取り用の突起３１ｚが複数形成されている。
【００４６】
図１１は、変形例２のパネル支持部３０Ｃを示す概略正面図であり、（ａ）パネル位置決め寸法Ｅの状態、（ｂ）パネル位置決め寸法Ｆの状態、（ｃ）パネル位置決め寸法Ｇの状態、（ｄ）パネル位置決め寸法Ｈの状態である。
【００４７】
図１１に示すように、変形例２のパネル支持部３０Ｃでは、パネル支持体３１Ｃが、取付方向を４方向に変えて取り付けることができ、パネルＰを支持可能な４つの面Ｓ１からＳ４にそれぞれ異なる段差形状（段差部３１ｍ、３１ｎ、３１ｏ、３１ｐ）を有している。このようなパネル支持体３１Ｃによれば、１つのパネル支持体３１Ｃで４種類のパネル位置決め寸法ＥからＨを実現することができる。
【００４８】
図１２は、変形例３のパネル支持部３０Ｄを示す図であり、（ａ）パネル位置決め寸法Ａ１の状態の概略正面図、（ｂ）パネル位置決め寸法Ｂ１の状態の概略正面図、（ｃ）円柱クッション部材３１ｈを適用したパネル支持体３１ＤのＩ−Ｉ断面図、（ｄ）円柱クッション部材３１ｈを適用したパネル支持体３１ＤのＩ−Ｉ断面図、（ｅ）三角柱クッション部材３１ｉを適用したパネル支持体３１ＤのＩ−Ｉ断面図である。
【００４９】
図１２に示すように、変形例３のパネル支持部３０Ｄは、パネル支持体３１Ｄが、金属材料で形成されており、パネルＰを支持する面に、金属材料よりも、摩擦性が高く、かつ、クッション性が高い材料で形成されたクッション部材３１ｈ，３１ｉ（パネル接触部）が装着されている。
【００５０】
具体的に説明すると、パネル支持体３１Ｄのパネル支持面には、左右方向に沿うクッション装着溝３１ｄ，３１ｅ，３１ｆが形成され、このクッション装着溝３１ｄ，３１ｅ，３１ｆに対し、上端がパネル支持面から突出する状態でクッション部材３１ｈ，３１ｉが装着される。
【００５１】
例えば、図１２（ｃ）は、断面半円状のクッション装着溝３１ｄに円柱クッション部材３１ｈを装着した例を示し、図１２（ｄ）は、アリミゾ状のクッション装着溝３１ｅに円柱クッション部材３１ｈを装着した例を示し、図１２（ｅ）は、アリミゾ状のクッション装着溝３１ｆに三角柱クッション部材３１ｉを装着した例を示している。このようなパネル支持体３１Ｄによれば、金属材料により強度を高めつつ、クッション部材３１ｈ，３１ｉによりパネルＰの滑りや損傷を防止できる。
【００５２】
（第２実施形態）
上記第１実施形態では、パネル収納容器１は、容器本体２０に設けられるパネル支持部３０を備えて構成されるが、第２実施形態では、パネル収納容器１は、パネル支持部３０に加えて、容器本体２０に取り付けられるサイドサポート部７０を備えて構成される。
【００５３】
以下、第２実施形態のパネル収納容器１について、図１３〜図１５を参照しつつ説明する。なお、第２実施形態では、上記第１実施形態と同様の点については、説明を省略し、上記第１実施形態と主に異なる点について説明する。
【００５４】
図１３は、サイドサポート部を示す要部平面図である。図１４は、サイドサポート部を示す要部側面図である。図１５は、取付方向を変更したサイドサポート部を示す概略側面図であり、（ａ）パネル位置決め寸法Ａ２の状態、（ｂ）パネル位置決め寸法Ｂ２の状態である。
【００５５】
［パネル支持部］
第２実施形態のパネル支持部３０は、パネル支持体３１Ａ、支持軸３２、固定部材３３及び支柱３４を備え、第２実施形態の支持軸３２、固定部材３３及び支柱３４が上記第１実施形態の支持軸３２、固定部材３３及び支柱３４と同様であるため、説明を省略する。
【００５６】
一方、第２実施形態のパネル支持体３１Ａは、第１実施形態のパネル支持体３１と異なり、前後方向の寸法に比べて左右方向の寸法が長い短冊形状であり、前後方向に所定の間隔をあけて複数並設されている。また、それぞれのパネル支持体３１Ａの先端側には、サイドサポート部７０が貫通できるように、前後方向に貫通する貫通孔３１ｇが形成されている。
【００５７】
［サイドサポート部］
サイドサポート部７０は、図１３及び図１４に示すように、容器本体２０の前後方向に沿いつつ容器本体２０の側壁２２ａ，２２ｂ付近に設けられる一対のサイドサポート部材７１と、前後方向に沿う一対のサイドサポート部材７１の前端部に設けられるストッパ部材７２と、一対のサイドサポート部材７１に対応して背面壁２８の内面の左右方向に離れた位置に立設される一対の支柱７３と、サイドサポート部材７１の後端部を支柱７３に固定する一対のサポート支持部材７４と、を備える。なお、中央サポート部７０は、ストッパ部材７２を備えなくてもよい。
【００５８】
サイドサポート部材７１は、前後方向に沿うステレンスなどからなる金属製の円柱部材であり、その外周側には、支持するパネルＰに接触する円筒状のパネル接触部７１ｔを備える。また、サイドサポート部材７１の前後両端部は、後述する抜け止めピン７２ｂ及び７３ｃが挿入されるピン挿入孔を備えるが、図示は省略する。
【００５９】
パネル接触部７１ｔは、支持するパネルＰの滑りを防止するために金属材料よりも摩擦性が高く、かつ、支持するパネルＰの損傷を防止するために金属材料よりもクッション性が高い導電性の樹脂材料で形成されるとよい。
【００６０】
一対のサイドサポート部材７１は、それぞれ側壁部２２ａ及び側壁部２２ｂに取り付けられた複数のパネル支持体３１Ａと連結されるように設けられている。
【００６１】
詳細には、パネル支持体３１Ａの先端側には、前後方向に貫通する貫通孔３１ｇが形成され、この貫通孔３１ｇには、嵌合するようにサイドサポート部材７１の円柱部材が挿通されている。なお、この場合、サイドサポート部材７１の円柱部材の貫通孔３１ｇから露出する部分は、少なくとも、パネル接触部７１ｔによって被覆されている。
【００６２】
あるいは、パネル支持体３１Ａの先端側のパネル支持面には、前後方向に沿う凹溝が設けられ、この凹溝には、上端がパネル支持面から突出する状態又はパネル支持面と同一面とする状態でサイドサポート部材７１が装着されてもよい。
【００６３】
ストッパ部材７２は、樹脂材料で形成されており、パネルＰの前後方向の位置決めをするものである。また、ストッパ部材７２は、サイドサポート部材７１の前端部が挿入されるサポート挿入孔７２ａと、サポート挿入孔７２ａに挿入されたサイドサポート部材７１を抜け止めする抜け止めピン７２ｂが挿入されるピン挿入孔７２ｃと、パネルＰの前後方向の位置決めを行う位置決め部７２ｇと、を備える。
【００６４】
支柱７３は、背面壁２８の内面の左右方向に離れた位置に立設される。なお、支柱７３は、背面壁２８と別部材で形成されるが、支柱７３を背面壁２８と一体に形成してもよい。
【００６５】
支柱７３には、サイドサポート部材７１の後端部を嵌合支持する丸穴状の嵌合凹部７３ａと、サポート支持部材７４の一部を嵌合支持する嵌合溝７３ｂと、嵌合されたサイドサポート部材７１及びサポート支持部材７４を抜け止めする抜け止めピン７３ｃが挿入されるピン挿入孔７３ｄと、が形成されている。
【００６６】
支柱７３を形成する材料は、帯電防止のために導電性を有する樹脂材料又は金属材料が選択されるとよい。なお、本実施形態の支柱７３は、サイドサポート部材７１の支持強度を優先し、金属材料で形成される。
【００６７】
サポート支持部材７４は、樹脂材料で形成されており、サイドサポート部材７１の後端部が挿入されるサポート挿入孔７４ａと、支柱７３の嵌合溝７３ｂに嵌合してサポート支持部材７４の上下位置を規定する嵌合部７４ｂと、支柱７３の左右側面に当接してサポート支持部材７４の左右位置を規定する左右一対の当接部７４ｃと、前述した抜け止めピン７３ｃを挿入するためのピン挿入孔７４ｄと、パネルＰの前後方向の位置決めをする第１位置決め部７４ｆ及び第２位置決め部７４ｇと、を備える。
【００６８】
サポート支持部材７４の後端部を支柱７３に固定する場合は、まず、支柱７３の嵌合溝７３ｂにサポート支持部材７４の嵌合部７４ｂを嵌入させた後、サポート支持部材７４の後端部をサポート支持部材７４のサポート挿入孔７４ａを介して支柱７３の嵌合凹部７３ａに嵌合させる。この状態で、サポート支持部材７４のピン挿入孔７４ｄに抜け止めピン７３ｃを挿入すると、抜け止めピン７３ｃが、支柱７３のピン挿入孔７３ｄ及びサイドサポート部材７１のピン挿通孔を貫通することにより、サイドサポート部材７１及びサポート支持部材７４が支柱７３から抜け止めされる。
【００６９】
ここで、図１５に示すように、サポート支持部材７４は、支柱７３に対して上下反転して取り付けることが可能である。そして、図１５（ａ）に示す取付状態では、第１位置決め部７４ｆが有効となり、図１５（ｂ）に示す取付状態では、第２位置決め部７４ｇが有効となる。第１位置決め部７４ｆと第２位置決め部７４ｇは、前後方向の位置が相違しており、図１５（ａ）に示す取付状態では、第１位置決め部７４ｆとストッパ部材７２の位置決め部７２ｇとの間で規定されるパネルＰの前後方向の位置決め寸法がＡ２となり、図１５（ｂ）に示す取付状態では、第２位置決め部７４ｇとストッパ部材７２の位置決め部７２ｇとの間で規定されるパネルＰの前後方向の位置決め寸法がＢ２となる。
【００７０】
また、サポート支持部材７４は、取付方向を変更しても、中央サポート部材７１を支持する高さが変わらないように形成されている。具体的に説明すると、第１位置決め部７４ｆの上下方向の寸法Ｃ２と、第２位置決め部７４ｇの上下方向の寸法Ｄ２と、が一致するように形成されている。このようなサポート支持部材７４によれば、ロボットによるパネルＰの挿入高さを変更することなく、また、ロボットによるパネルＰの挿入量を変更することなく、サイズの異なるパネルＰの収納又は取り出しを行うことができる。
【００７１】
また、サイドサポート部材７１は、上述のように、パネル支持体３１Ａと共にパネルＰに接触する場合に、サイドサポート部材７１と連結されるパネル支持体３１Ａは、複数ではなく、１つ設けられてもよい。
【００７２】
なお、サイドサポート部材７１は、パネルＰに接触しないように構成されてもよい。この場合、１つのサイドサポート部材７１は、複数のパネル支持体３１Ａを連結しているため、その後端部がサポート支持部材７４を介して支柱７３に取り付けられなくてもよい。
【００７３】
このように、第２実施形態のパネル収納容器１によれば、パネル支持体３１Ａと連結されるサイドサポート部材７１を備えることにより、複数のパネル支持体３１Ａの間隔を維持するとともに、パネル支持体３１Ａの振動を抑制することができる。
【００７４】
以上、具体的な実施形態に基づき、本発明のパネル収納容器について説明してきたが、本発明は、上記の具体的な実施形態に限定されるものではなく、本発明の技術的範囲には、本発明の目的が達成される範囲での様々な変形や改良などが含まれるものであり、そのことは当業者にとって特許請求の範囲の記載から明らかである。
【００７５】
例えば、上記実施形態では、内部のエアを不活性ガスに置換するために、上面、下面、左側面、右側面及び背面が壁部材によって気密的に覆われていたが、気密性が求められない場合は、直方体形状に組み立てられた枠体とし、周囲を覆う壁部材を省略してもよい。
【００７６】
また、上記実施形態では、キャリアパネルＰｃ又は封止パネルＰｅの寸法差が比較的小さなパネルＰを収納したが、６２５ｍｍ×６１５ｍｍ又は３００ｍｍ×３００ｍｍなど寸法差が大きいパネルＰを収納してもよい。
【符号の説明】
【００７７】
１      パネル収納容器
２０    容器本体
２１  開口部、２２ａ，２２ｂ  側壁、２３  底板、２４  装置位置決め部、２５  天板、２６  ロボティックフランジ（第１被搬送用部品）、２７  リフトフランジ（第２被搬送用部品）、２８  背面壁、２９  ハンドル（第３被搬送用部品）
３０，３０Ｂ，３０Ｃ，３０Ｄ    パネル支持部
３１，３１Ａ，３１Ｂ，３１Ｃ，３１Ｄ  パネル支持体、３１ａ  取付孔、３１ｂ，３１ｃ，３１ｍ，３１ｎ，３１ｏ，３１ｐ  段差部、３１ｇ  貫通孔、３１ｈ，３１ｉ  クッション部材（パネル接触部）、３１ｚ  突起
３２  支持軸、３３  固定部材（固定手段）
３４  支柱（固定壁）、３４ａ  嵌合溝、３４ｂ  係合溝
４０    蓋体
４１  蓋本体、４２  施錠機構（ロック手段）、４３  鍵穴
５０    給排気部（給気部、排気部）
７０    サイドサポート部
７１  サイドサポート部材
７２  ストッパ部材
７３  支柱
７４  サポート支持部材
【図１】
2019033145.tif 000003
【図２】
2019033145.tif 000004
【図３】
2019033145.tif 000005
【図４】
2019033145.tif 000006
【図５】
2019033145.tif 000007
【図６】
2019033145.tif 000008
【図７】
2019033145.tif 000009
【図８】
2019033145.tif 000010
【図９】
2019033145.tif 000011
【図１０】
2019033145.tif 000012
【図１１】
2019033145.tif 000013
【図１２】
2019033145.tif 000014
【図１３】
2019033145.tif 000015
【図１４】
2019033145.tif 000016
【図１５】
2019033145.tif 000017